(57)【特許請求の範囲】
【請求項１】
中栓と上蓋とがヒンジにより開閉自在に連結されたヒンジキャップにおいて、中栓は、容器口部に装着される盲筒体の栓部と容器口部を被包する容器口被包部とでなり、盲筒体の栓部の底部に注出ノズルを、その上端部が容器口被包部の縁部より上へ突出されるよう立設し、該注出ノズルの下部内には、上面が上方へ膨出した厚みのある放物面板にされると共に、複数の小孔を穿孔して、厚みがある故に、注出を遅延させる調整がされる調整板を設け、上蓋には、外周側に中栓を被蓋する側壁と、天板に前記注出ノズルの上部内へ挿着され、当接シールするインナーシール凸部が形成されることを特徴とする注出ノズル付きヒンジキャップ。
【発明の詳細な説明】
【技術分野】
【０００１】  本発明は、調味料等を充填した容器がその内容液を注出する際、噴出することなく、注出がし易いようにし、取扱い易くするために設けられた注出ノズル付きヒンジキャップに関するものである。
そして、調味料等を充填した容器が開蓋された状態で転倒しても、直ぐに流出しないようにさせた注出ノズル付きヒンジキャップに関するものである。
【背景技術】
【０００２】  従来の注出ノズル付きヒンジキャップは、キャップ本体と上蓋とがヒンジにより開閉自在に連結されたものであって、キャップ本体は、注出ノズルを形成した天面とその天面の周縁から垂下して容器の口部に装着するスカート壁とで構成され、上蓋は、その天板とこの天板の周縁から垂下する側壁とで構成され、その天板には前記注出ノズルの内周面に当接シールするインナーシールリングを形成するものである。
そして、この注出ノズル付きヒンジキャップは、頻繁に小出しする調味料等の注出には、使用かってが良く、取扱い易いものであった（特許文献１）。【０００３】  ところが、上蓋を開いたまま、調味料等の内容液が詰められた容器を転倒してしまった場合には、直ちに内容液が注出ノズルから流出してしまうことになって都合悪い。
そこで、そのようなことを生じないようにした注出ノズル付きヒンジキャップが求められ、その注出ノズル付きヒンジキャップは、キャップ本体と上蓋とからなり、キャップ本体の天面には注出ノズルが形成され、注出ノズルの内周の所定個所から注出ノズル内を横切る方向に延びる舌状の弁体が具備され、上蓋の裏面にはキャップ本体の注出ノズルの内周面に当接シールするインナーシールリングが垂設され、インナーシールリングをその先端部で、閉蓋時には、弁体の周縁部に当接または近接させるようにしたものであった（特許文献２）。
【先行技術文献】
【特許文献】
【０００４】
【特許文献１】特開２０１１−０７３６８７
【特許文献２】特開２０１４−１９８５８４
【発明の概要】
【発明が解決しようとする課題】
【０００５】  一般の注出ノズル付きヒンジキャップは、調味料等が詰まった容器を転倒してしまった場合には、もろに、調味料等の内容液が注出されることになってよくない。そこで、それを解消するために、注出ノズル内を横切る方向へ延びる舌状の弁体が注出ノズルに具備させられたが、その舌状の弁体が良好な機能を果すようにされるには、舌状の弁体であるが故に、加工が困難を要し、更に、舌状の弁体の開閉作動具合では調味料等の内容液の注出にはなだらかな流出が出来ない。従って、噴出する状態での流出がされることになり、不都合である。また、射出成形で形成する場合には、弁体がアンダーカットとなるので、金型の製作上、望ましくない。【０００６】  そこで、本発明は、調味料等が詰められた容器が開蓋された状態で転倒されても、調味料等の内容液を注出ノズルから直に噴出するようなことがないようにし、即ち、転倒に気が付いて容器を起すまでには、注出ノズルより流出されないような構成にし、また、注出するときには、注出ノズルより噴出するようなことがなく、なだらかな流出による注出ができる注出ノズル付きヒンジキャップを得ることにある。
【課題を解決するための手段】
【０００７】  本発明の注出ノズル付きヒンジキャップは、中栓と上蓋とがヒンジにより開閉自在に連結されたヒンジキャップにおいて、中栓は、容器口部に装着される盲筒体の栓部と容器口部を被包する容器口被包部とでなり、盲筒体の栓部の底部に注出ノズルを、その上端部が容器口被包部の縁部より上へ突出されるよう立設し、該注出ノズルの下部内には、上面が上方へ膨出した厚みのある放物面板にされると共に、複数の小孔を穿孔して、厚みがある故に、注出を遅延する調整がされる調整板を設け、上蓋には、外周側に中栓を被蓋する側壁と、天板に前記注出ノズルの上部内に挿着され、当接シールするインナーシール凸部が形成されるものである。
【発明の効果】
【０００８】  本発明の注出ノズル付きヒンジキャップは、中栓の盲筒体の栓部の底部に注出ノズルが立設され、その上端部を容器口被包部の縁部よりも上へ突出させ、調整板を注出ノズルの下部内に設けることによって、注出ノズルが該調整板からその注出ノズルの上端部までの丈を長くしたことになるので、調味料等内容液を充填した容器が調味料等内容液を注出させる際に、注出の流量調整を可能にでき、液垂れ等をも生じることなく、注出がし易く、且つ取扱い易い。また、注出ノズルの下部内に、上面が上方へ膨らんだ厚みのある放物面板にされると共に、複数の小孔を穿孔した調整板が形成されることにより、調味料等が詰まった容器より調味料等を注出する際に調整され、該調整板により急激な噴出をすることなく、緩やかな流出をさせることになり、また、転倒された際にも、厚みのある調整板により流出の調整させることになり、直ぐにも注出ノズルから流出してしまうことがないように出来る。
注出ノズルよりの注出を終え、容器が起された折には、該注出ノズル内に残留した調味料等は、調整板を放物面板とすることによって、流出が緩るやかに、調整板の放物面板の低くなった部分へ一時的に流れが溜まって、小孔を経て容器内へ戻させることができる。
【図面の簡単な説明】
【０００９】
【図１】  注出ノズルの下部内に上面が上方へ膨出された厚みのある放物面板とすると共に、複数の小孔が穿孔された調整板を設けた注出ノズル付きヒンジキャップの断面図である。
【図２】  注出ノズルの下部内に調整板を設けた注出ノズル付きヒンジキャップの上方視図である。
【図３】  注出ノズル付きヒンジキャップの上蓋開蓋状態における断面図である。
【図４】  注出ノズルの下部内に調整板を設けた注出ノズル付きヒンジキャップの中栓における上方視図である。
【発明を実施するための形態】
【００１０】  注出ノズル付きヒンジキャップは、図１乃至図４に示す如く、中栓１と上蓋２とがヒンジ３により開閉自在に連結され、中栓１は、容器口部４０に装着された盲筒体の栓部１１と容器口部４０を被包する容器口被包部１２とでなり、盲筒体の栓部１１の底部１１１に注出ノズル５を、その上端部５１が容器口被包部１２の縁部１２１より上へ突出されるよう立設し、該注出ノズルの下部５２内に調整板５０を設け、上蓋２には、外周側に中栓１を被蓋する側壁２１と、天板２２に注出ノズル５の上部内に挿着され、当接シールするインナーシール凸部２３を形成させてなるものである。
注出ノズル５の上端部５１は液垂れ防止の為にラッパ状に拡がり、且つこれによって、上蓋２を被蓋の折に上蓋２のインナーシール凸部２３で当接シールし、案内挿着されるものである。
【実施例１】
【００１１】  注出ノズル付きヒンジキャップは、盲筒体の栓部１１の底部１１１に立設された注出ノズル５の下部５２内には、図１乃至図４に示す如く、上面が上方へ膨出した厚みのある放物面板５３とされ、該放物面板に複数の小孔５４を穿設した調整板５０が設けられる。【００１２】  この注出ノズル付きヒンジキャップは、容器４が転倒されたとき、一般には、容器４に詰められた調味料等の内容液を噴出させてしまうが、注出ノズル５の下部５２内に調整板５０を有し、該調整板によって一時的に噴出を塞ぎ止め、その後、前記小孔５４によって流れを絞り注出させるので、流出し始めに多少の時間を要し、転倒された容器４を直ぐにでも起せば、流出を避けることが出来る。
また、調味料等内容液を注出する際には、厚みのある調整板５０の小孔５４の絞られた流路を通過するので、流出が遅れるよう調整されて、噴出するようなことがない緩やかな注出をさせることになる。
そして、調整板５０は、上面が膨出された放物面５３とされているため、調味料等内容液の注出をし終えた後には、注出ノズル５に残存された調味料等内容液の滴が小孔５４を経てより良く容器４内へ戻すよう導かれることになる。
【符号の説明】
【００１３】    １        中栓
１１      栓部
１１１    底部
１２      容器口被包部
１２１    縁部
２        上蓋
２１      側壁
２２      天板
２３      インナーシール凸部
３        ヒンジ
４        容器
４０      容器口部
５        注出ノズル
５０      調整板
５１      上端部
５２      下部
５３      放物面板
５４      小孔
【図１】
0006810402.tif 000002
【図２】
0006810402.tif 000003
【図３】
0006810402.tif 000004
【図４】
0006810402.tif 000005